(57)【要約】【課題】エンジンの小型化を図ることである。【解決手段】発電機（22）と、該発電機（22）を駆動する発電用エンジン（21）と、上記発電機（22）で発電された交流電力を直流電力に変換するコンバータ（23）と、該コンバータ（23）の直流電力を交流電力に変換するインバータ（24,25,26）と、該インバータ（24,25,26）の交流電力によってそれぞれ駆動される電動圧縮機（31）およびファン（35,36）を有する冷媒回路（30）と、上記発電用エンジン（21）、電動圧縮機（31）およびファン（35,36）の各回転数を個別に制御する制御装置（40）とを備えている。【選択図】図２
2007113874.tif 000002
【特許請求の範囲】
【請求項１】
発電機（22）と、該発電機（22）を駆動する発電用エンジン（21）と、上記発電機（22）で発電された交流電力を直流電力に変換するコンバータ（23）と、該コンバータ（23）の直流電力を交流電力に変換するインバータ（24,25,26）と、該インバータ（24,25,26）の交流電力によってそれぞれ駆動される電動圧縮機（31）およびファン（35,36）を有する冷媒回路（30）と、上記発電用エンジン（21）、電動圧縮機（31）およびファン（35,36）の各回転数を個別に制御する制御手段（40）とを備えている
ことを特徴とするトレーラー用冷凍装置。
【請求項２】
請求項１において、
上記制御手段（40）は、電動圧縮機（31）が最大回転数で駆動する場合、発電用エンジン（21）の回転数が上記電動圧縮機（31）の最大回転数よりも低くなるように上記発電用エンジン（21）を制御する
ことを特徴とするトレーラー用冷凍装置。
【請求項３】
請求項１または２において、
上記制御手段（40）は、電動圧縮機（31）が最小回転数で駆動する場合、発電用エンジン（21）の回転数が上記電動圧縮機（31）の最小回転数よりも高くなるように上記発電用エンジン（21）を制御する
ことを特徴とするトレーラー用冷凍装置。
【請求項４】
請求項１乃至３の何れか１項において、
上記制御手段（40）は、上記トレーラー庫内の温度に基づいてインバータ（24,25,26）の出力を制御して電動圧縮機（31）およびファン（35,36）の各回転数を制御する冷凍機器制御部（41）を備えると共に、上記インバータ（24,25,26）の入出力状態またはコンバータ（23）の入出力状態に基づいて発電用エンジン（21）の回転数を制御するエンジン制御部（42）を備えている
ことを特徴とするトレーラー用冷凍装置。
【請求項５】
請求項４において、
上記エンジン制御部（42）は、上記発電用エンジン（21）の燃料供給量を調節することによって該発電用エンジン（21）の回転数を制御するように構成されている
ことを特徴とするトレーラー用冷凍装置。
【請求項６】
請求項５において、
上記発電用エンジン（21）は、電子ガバナを有する一方、
上記エンジン制御部（42）は、上記電子ガバナを制御して発電用エンジン（21）の燃料供給量を調節するように構成されている
ことを特徴とするトレーラー用冷凍装置。
【請求項７】
請求項１乃至３の何れか１項において、
上記電動圧縮機（31）は、圧縮機構が回転式に構成されている
ことを特徴とするトレーラー用冷凍装置。
【請求項８】
請求項１乃至３の何れか１項において、
上記コンバータ（23）が発電機（22）に繋がる状態と商用電源に繋がる状態とに切り換える切換スイッチ（27）を備えている
ことを特徴とするトレーラー用冷凍装置。
【請求項９】
請求項４において、
上記制御手段（40）は、電動圧縮機（31）の異常を検知する圧縮機異常検知部（44）を備える一方、
上記冷凍機器制御部（41）は、上記圧縮機異常検知部（44）が異常を検知すると、電動圧縮機（31）の回転数が所定値で固定されるようにインバータ（24）を制御するように構成されている
ことを特徴とするトレーラー用冷凍装置。
【請求項１０】
請求項９において、
上記圧縮機異常検知部（44）は、電動圧縮機（31）のモータの発生トルクＴに基づいて該電動圧縮機（31）の異常を検知するように構成されている
ことを特徴とするトレーラー用冷凍装置。
【請求項１１】
請求項９において、
上記圧縮機異常検知部（44）は、電動圧縮機（31）のモータの巻き線抵抗Ｒに基づいて該電動圧縮機（31）の異常を検知するように構成されている
ことを特徴とするトレーラー用冷凍装置。
【請求項１２】
請求項９において、
上記圧縮機異常検知部（44）は、電動圧縮機（31）のモータ磁石の磁束Ψに基づいて該電動圧縮機（31）の異常を検知するように構成されている
ことを特徴とするトレーラー用冷凍装置。
【請求項１３】
請求項４において、
上記制御手段（40）は、発電用エンジン（21）の燃料供給量に基づいて該発電用エンジン（21）の異常を検知するエンジン異常検知部（45）を備える一方、
上記冷凍機器制御部（41）は、上記エンジン異常検知部（45）が異常を検知すると、発電用エンジン（21）の負荷を低減するように電動圧縮機（31）およびファン（35,36）の少なくとも一方の回転数を制御するように構成されている
ことを特徴とするトレーラー用冷凍装置。
【請求項１４】
請求項４において、
上記制御手段（40）は、ファン（35,36）の異常を検知するファン異常検知部（46）を備える一方、
上記冷凍機器制御部（41）は、上記ファン異常検知部（46）が異常を検知すると、ファン（35,36）の回転数が所定値で固定されるようにインバータ（25,26）を制御するように構成されている
ことを特徴とするトレーラー用冷凍装置。
【発明の詳細な説明】
【技術分野】
【０００１】
本発明は、トレーラー用冷凍装置に関し、特に、小型化および軽量化対策に係るものである。
【背景技術】
【０００２】
従来より、冷凍食品等を陸上輸送する冷凍車に設けられてその冷凍庫内を冷却する冷凍装置が知られている。この種の冷凍装置としては、冷凍車の走行用エンジンの動力によって発電した電力により圧縮機を駆動するものがある。
【０００３】
ところが、この場合、冷凍車が走行停止すると圧縮機も停止するので、冷凍庫内の温度が上昇してしまうという問題があった。また、運転室を有する運転車両（トレーラーヘッド）と冷凍庫が積載される荷台車両（トレーラー）とが切り離し可能に構成されている冷凍車がある。その場合、走行用エンジンが運転車両に設けられ、冷凍装置が荷台車両に設けられることから、運転車両を交換する等で荷台車両を切り離した際、やはり圧縮機が停止するという問題があった。
【０００４】
そこで、走行用エンジンとは別に冷凍機用のエンジンを荷台車両（トレーラー）に設け、そのエンジンによって圧縮機を駆動する冷凍装置が知られている（例えば、特許文献１参照）。つまり、この冷凍装置では、走行エンジンが停止したり運転車両が切り離されても、荷台車両側で冷凍装置が継続して運転される。
【特許文献１】特開平５−３８９３３号公報
【発明の開示】
【発明が解決しようとする課題】
【０００５】
しかしながら、上述した特許文献１の冷凍装置では、圧縮機がエンジンに直結されて駆動されるため、圧縮機の許容回転数の制約によりエンジンの回転数を低く抑えなければならないという問題があった。つまり、圧縮機には効率や信頼性の観点から最大許容回転数が設定されているが、この回転数はエンジンの定格回転数よりも極端に低いため、その許容回転数以下でエンジンを運転する必要がある。したがって、エンジンは低回転で高トルクを出さなければならないため、エンジンの排気量が必要以上に大きくなり、エンジンの大型化および重量増大を招くという問題があった。
【０００６】
本発明は、斯かる点に鑑みてなされたものであり、その目的とするところは、荷台車両（トレーラー）に設置され、走行用エンジンとは別のエンジンを備えて圧縮機等の冷凍機器を駆動する冷凍装置において、エンジンおよび圧縮機等を別個独立に制御することによりエンジンの小型化および軽量化を図ることである。
【課題を解決するための手段】
【０００７】
第１の発明は、発電機（22）と、該発電機（22）を駆動する発電用エンジン（21）と、上記発電機（22）で発電された交流電力を直流電力に変換するコンバータ（23）と、該コンバータ（23）の直流電力を交流電力に変換するインバータ（24,25,26）と、該インバータ（24,25,26）の交流電力によってそれぞれ駆動される電動圧縮機（31）およびファン（35,36）を有する冷媒回路（30）と、上記発電用エンジン（21）、電動圧縮機（31）およびファン（35,36）の各回転数を個別に制御する制御手段（40）とを備えているものである。
【０００８】
上記の発明では、発電機（22）と電動圧縮機（31）との間にコンバータ（23）およびインバータ（24,25,26）を設けるようにしたので、発電用エンジン（21）の回転数が電動圧縮機（31）等の回転数に連動することはない。そこで、制御手段（40）により、発電用エンジン（21）と、電動圧縮機（31）と、ファン（35,36）とがそれぞれ異なる回転数で駆動される。したがって、例えば、発電用エンジン（21）が最適効率となる割と高い回転数で駆動しても、電動圧縮機（31）およびファン（35,36）がそれぞれ最適効率となる発電用エンジン（21）の回転数よりも低い回転数で駆動される。
【０００９】
また、第２の発明は、上記第１の発明において、上記制御手段（40）は、電動圧縮機（31）が最大回転数で駆動する場合、発電用エンジン（21）の回転数が上記電動圧縮機（31）の最大回転数よりも低くなるように上記発電用エンジン（21）を制御するものである。
【００１０】
上記の発明では、最大冷凍能力が必要な場合に、電動圧縮機（31）が最大回転数で駆動される。その場合でも、発電用エンジン（21）は、電動圧縮機（31）の回転数と同じ回転数で駆動する必要がなく、その最大回転数よりも低い回転数で駆動される。したがって、発電用エンジン（21）の排気量を電動圧縮機（31）により発揮し得る冷凍能力に合わす必要がない。これにより、発電用エンジン（21）を小型化させることができる。
【００１１】
また、第３の発明は、上記第１または第２の発明において、上記制御手段（40）は、電動圧縮機（31）が最小回転数で駆動する場合、発電用エンジン（21）の回転数が上記電動圧縮機（31）の最小回転数よりも高くなるように上記発電用エンジン（21）を制御するものである。
【００１２】
上記の発明では、最小冷凍能力が必要な場合に、電動圧縮機（31）が最小回転数で駆動される。その場合でも、発電用エンジン（21）は、電動圧縮機（31）の回転数と同じ回転数で駆動する必要がなく、その最小回転数よりも高い回転数で駆動される。したがって、発電用エンジン（21）は、低回転数で高トルクを発揮する必要がない。これにより、発電用エンジン（21）の大型化が防止される。
【００１３】
また、第４の発明は、上記第１乃至第３の発明の何れか１において、上記制御手段（40）が、上記トレーラー庫内の温度に基づいてインバータ（24,25,26）の出力を制御して電動圧縮機（31）およびファン（35,36）の各回転数を制御する冷凍機器制御部（41）を備えると共に、上記インバータ（24,25,26）の入出力状態またはコンバータ（23）の入出力状態に基づいて発電用エンジン（21）の回転数を制御するエンジン制御部（42）を備えているものである。
【００１４】
上記の発明では、冷凍機器制御部（41）により、電動圧縮機（31）およびファン（35,36）がそれぞれ最適効率となる回転数で駆動するように各インバータ（24,25,26）が制御される。一方、エンジン制御部（42）により、インバータ（24,25,26）またはコンバータ（23）の入出力状態に基づいて発電機（22）における必要電力が求められる。そして、エンジン制御部（42）により、上記必要電力が発電されるように発電用エンジン（21）が最適効率となる回転数で制御される。つまり、発電用エンジン（21）は、電動圧縮機（31）等の回転数とは関係なく、個別に制御される。
【００１５】
また、第５の発明は、上記第４の発明において、上記エンジン制御部（42）が、上記発電用エンジン（21）の燃料供給量を調節することによって該発電用エンジン（21）の回転数を制御するように構成されているものである。
【００１６】
上記の発明では、燃料供給量を増大されば発電用エンジン（21）の回転数が上昇し、燃料供給量を減少されば発電用エンジン（21）の回転数が低下する。
【００１７】
また、第６の発明は、上記第５の発明において、上記発電用エンジン（21）が電子ガバナを有している。一方、上記エンジン制御部（42）は、上記電子ガバナを制御して発電用エンジン（21）の燃料供給量を調節するように構成されているものである。
【００１８】
上記の発明では、燃料供給量が電子ガバナ制御により調節されるので、発電用エンジン（21）の回転数が高精度に制御される。
【００１９】
また、第７の発明は、上記第１乃至第３の発明の何れか１において、上記電動圧縮機（31）は、圧縮機構が回転式に構成されているものである。
【００２０】
上記の発明では、電動圧縮機（31）の圧縮機構がスクロール式やロータリー式に構成される。この回転式圧縮機機構の場合、往復動式（例えば、レシプロ式）に比べて、始動トルクが小さい。したがって、電動圧縮機（31）の始動に必要電力が低減され、発電用エンジン（21）の必要動力が低減される。
【００２１】
また、第８の発明は、上記第１乃至第３の発明の何れか１において、上記コンバータ（23）が発電機（22）に繋がる状態と商用電源に繋がる状態とに切り換える切換スイッチ（27）を備えているものである。
【００２２】
上記の発明では、例えば、冷凍車が長時間停止する場合、発電用エンジン（21）を停止し、コンバータ（23）が陸上の商用電源に繋げられる。これにより、発電用エンジン（21）が省エネ運転される。
【００２３】
また、第９の発明は、上記第４の発明において、上記制御手段（40）は、電動圧縮機（31）の異常を検知する圧縮機異常検知部（44）を備えている。一方、上記冷凍機器制御部（41）は、上記圧縮機異常検知部（44）が異常を検知すると、電動圧縮機（31）の回転数が所定値で固定されるようにインバータ（24）を制御するように構成されているものである。
【００２４】
上記の発明では、圧縮機異常検知部（44）により、電動圧縮機（31）の異常状態、例えば故障寸前の状態が検知される。このような異常状態が検知されると、電動圧縮機（31）の回転数が所定値で固定される。したがって、電動圧縮機（31）は、回転数が変化しないため、その回転数変化による負担が軽減される。これにより、電動圧縮機（31）を交換する時期まで少しでも長く運転させることができる。
【００２５】
また、第１０の発明は、上記第９の発明において、上記圧縮機異常検知部（44）が、電動圧縮機（31）のモータの発生トルクＴに基づいて該電動圧縮機（31）の異常を検知するように構成されているものである。
【００２６】
上記の発明では、予め正常時のモータの発生トルクをデータとして備えていれば、その発生トルクと実際の発生トルクＴとの比較で、容易に異常状態か否かが検知される。
【００２７】
また、第１１の発明は、上記第９の発明において、上記圧縮機異常検知部（44）が、電動圧縮機（31）のモータの巻き線抵抗Ｒに基づいて該電動圧縮機（31）の異常を検知するように構成されているものである。
【００２８】
上記の発明では、予め正常時の巻き線抵抗値をデータとして備えていれば、その巻き線抵抗値と実際の巻き線抵抗Ｒとの比較で、容易に異常状態か否かが検知される。
【００２９】
また、第１２の発明は、上記第９の発明において、上記圧縮機異常検知部（44）が、電動圧縮機（31）のモータ磁石の磁束Ψに基づいて該電動圧縮機（31）の異常を検知するように構成されているものである。
【００３０】
上記の発明では、予め正常時の磁束をデータとして備えていれば、その磁束と実際の磁束Ψとの比較で、容易に異常状態か否かが検知される。
【００３１】
また、第１３の発明は、上記第４の発明において、上記制御手段（40）が、発電用エンジン（21）の燃料供給量に基づいて該発電用エンジン（21）の異常を検知するエンジン異常検知部（45）を備えている。一方、上記冷凍機器制御部（41）は、上記エンジン異常検知部（45）が異常を検知すると、発電用エンジン（21）の負荷を低減するように電動圧縮機（31）およびファン（35,36）の少なくとも一方の回転数を制御するように構成されているものである。
【００３２】
上記の発明では、エンジン異常検知部（45）により、発電用エンジン（21）の異常状態、例えば故障寸前の状態が検知される。このような異常状態が検知されると、発電用エンジン（21）の負担が低減されるように、電動圧縮機（31）やファン（35,36）の運転効率の最適性に関係なく電動圧縮機（31）等が駆動され、庫内の温度制御が行われる。つまり、電動圧縮機（31）等の入力電流が低下するように駆動される。これにより、発電用エンジン（21）を交換する時期まで少しでも長く運転させることができる。
【００３３】
また、第１４の発明は、上記第４の発明において、上記制御手段（40）が、ファン（35,36）の異常を検知するファン異常検知部（46）を備えている。一方、上記冷凍機器制御部（41）は、上記ファン異常検知部（46）が異常を検知すると、ファン（35,36）の回転数が所定値で固定されるようにインバータ（25,26）を制御するように構成されているものである。
【００３４】
上記の発明では、ファン異常検知部（46）により、ファン（35,36）の異常状態、例えば故障寸前の状態が検知される。このような異常状態が検知されると、ファン（35,36）の回転数が所定値で固定される。したがって、ファン（35,36）は、回転数が変化しないため、その回転数変化による負担が軽減される。これにより、ファン（35,36）を交換する時期まで少しでも長く運転させることができる。
【発明の効果】
【００３５】
したがって、本発明によれば、発電用エンジン（21）と電動圧縮機（31）とファン（35,36）とを別個独立に制御できるようにしたので、発電用エンジン（21）を電動圧縮機（31）やファン（35,36）の回転数に連動させて駆動させなくてもよい。したがって、例えば低回転高トルクで発電用エンジン（21）を駆動しなくてもよいため、発電用エンジン（21）の排気量を無駄に大きくする必要がなくなる。この結果、発電用エンジン（21）の小型化および軽量化を図ることができる。
【００３６】
また、電動圧縮機（31）等とは関係なく発電用エンジン（21）にとって最適効率となる回転数で該発電用エンジン（21）を駆動することができる。この結果、装置の省エネ化を図ることができる。
【００３７】
また、第７の発明によれば、電動圧縮機（31）の始動トルクを低減することができる。したがって、発電機（22）の必要発電電力を低減することができ、発電用エンジン（21）の必要動力を低減することができる。この結果、発電用エンジン（21）の小型化および軽量化を一層図ることができる。
【００３８】
また、第８の発明によれば、コンバータ（23）を発電機（22）から切り換えて商用電源と繋げるようにしたので、例えば冷凍車が長時間走行停止するような場合、発電用エンジン（21）を駆動させる必要がなくなる。この結果、発電用エンジン（21）の省エネ化を図ることができる。
【００３９】
また、第９〜第１４の発明によれば、電動圧縮機（31）、ファン（35,36）および発電用エンジン（21）の故障寸前の異常状態を検知することができる。そして、検知されると、電動圧縮機（31）等の負担を軽減するようにしたので、交換の時期までできるだけ長く運転を持続させることができる。
【発明を実施するための最良の形態】
【００４０】
以下、本発明の実施形態を図面に基づいて詳細に説明する。
【００４１】
本実施形態の冷凍装置（10）は、図１に示すように、冷凍食品や生鮮食品等を陸上輸送する冷凍車に用いられる。この冷凍車は、運転室や走行用エンジンが設けられた運転車両（トレーラーヘッド）と、冷凍庫（C）が設けられた荷台車両（トレーラー）とが切り離し自在に連結されている。そして、本実施形態に係る冷凍装置（10）は、荷台車両（トレーラー）の前方側に設けられ、冷凍庫（C）内を冷却するためのものである。
【００４２】
図２および図３に示すように、上記冷凍装置（10）は、発電用エンジン（21）と、発電機（22）と、コンバータ（23）と、３つのインバータ（24,25,26）と、冷媒回路（30）とを備えている。
【００４３】
上記発電機（22）は、発電用エンジン（21）に接続され、該発電用エンジン（21）の動力によって発電する。上記発電用エンジン（21）は、運転車両の走行用エンジンとは別に設けられた冷凍装置専用のものである。そして、この発電用エンジン（21）は、電子ガバナ制御により燃料供給量が調節されることによって運転回転数が制御される。
【００４４】
上記コンバータ（23）は、発電機（22）と電気的に接続され、該発電機（22）で発電された交流電力を直流電力に変換するためのものである。上記３つのインバータ（24,25,26）は、コンバータ（23）に対して並列に電気的に接続され、該コンバータ（23）の直流電力を交流電力に変換するためのものである。
【００４５】
具体的に、第１インバータ（24）は、後述する冷媒回路（30）の電動圧縮機（31）のモータに交流電力を出力し、該電動圧縮機（31）を駆動するように構成されている。第２インバータ（25）は、後述する冷媒回路（30）の凝縮器ファン（35）のモータに交流電力を出力し、該凝縮器ファン（35）を駆動するように構成されている。第３インバータ（26）は、後述する冷媒回路（30）の蒸発器ファン（36）のモータに交流電力を出力し、該蒸発器ファン（36）を駆動するように構成されている。
【００４６】
つまり、本実施形態において、コンバータ（23）およびインバータ（24,25,26）は、電力変換装置を構成している。
【００４７】
上記冷媒回路（30）は、電動圧縮機（31）、凝縮器（32）、電子膨張弁（33）および蒸発器（34）が順に配管接続されている。上記凝縮器（32）の近傍には凝縮器ファン（35）が、上記蒸発器（34）の近傍には蒸発器ファン（36）がそれぞれ設けられている。
【００４８】
上記電動圧縮機（31）は、スクロール式の圧縮機である。上記凝縮器ファン（35）は庫外空気を凝縮器（32）へ取り込み、上記蒸発器ファン（36）は庫内空気を蒸発器（34）へ取り込む。上記冷媒回路（30）は、冷媒が循環して蒸気圧縮式冷凍サイクルを行うように構成されている。つまり、上記凝縮器（32）で凝縮した液冷媒が、電子膨張弁（33）で減圧された後、蒸発器（34）で庫内空気と熱交換して蒸発し、庫内空気が冷却される。
【００４９】
上記冷凍装置（10）には、発電用エンジン（21）の運転回転数を検出するための回転数検出部（28）が設けられている。
【００５０】
上記発電機（22）とコンバータ（23）との間には、切換スイッチ（27）が設けられている。この切換スイッチ（27）は、コンバータ（23）が発電機（22）に繋がる状態と商用電源に繋がる状態とに切り換えるように構成されている。例えば、冷凍車が長時間停止する場合、発電用エンジン（21）を停止し、コンバータ（23）と商用電源とが繋がるように切換スイッチ（27）を切り換える。
【００５１】
上記冷凍装置（10）は、制御装置（40）（制御手段）を備えている。この制御装置（40）は、冷凍機器制御部（41）と、エンジン制御部（42）と、回転数制御部（43）と、圧縮機異常検知部（44）と、エンジン異常検知部（45）と、ファン異常検知部（46）とを有している。
【００５２】
上記冷凍機器制御部（41）は、冷凍庫（C）内の温度（庫内温度）が入力され、その庫内温度と目標温度とに基づき必要冷凍能力を設定するように構成されている。そして、上記冷凍機器制御部（41）は、必要冷凍能力に基づいて、各インバータ（24,25,26）の出力電力を個別に制御すると共に、電子膨張弁（33）の開度を制御するように構成されている。つまり、上記冷凍機器制御部（41）は、電動圧縮機（31）およびファン（35,36）のそれぞれが最適効率で駆動するように個別に能力制御する。
【００５３】
なお、上記冷凍機器制御部（41）は、外気温、電動圧縮機（31）の吐出管温度、冷媒の凝縮温度Tcおよび蒸発温度Teも加味して、各インバータ（24,25,26）や電子膨張弁（33）を制御している。
【００５４】
上記冷凍機器制御部（41）は、通常制御モード、高精度制御モードおよびファン間欠制御モードの３つの運転制御モードを備えている。
【００５５】
上記通常制御モードでは、電動圧縮機（31）および各ファン（35,36）のそれぞれが最適効率で駆動するように、各インバータ（24,25,26）が制御されるようになっている。
【００５６】
上記高精度制御モードでは、電動圧縮機（31）の回転数が固定され、各ファン（35,36）の回転数のみが制御されるようになっている。つまり、上記第１インバータ（24）の出力電力は変化せずに、第２インバータ（25）および第３インバータ（26）の出力電力のみが制御される。
【００５７】
上記ファン間欠制御モードでは、必要冷凍能力に関係なく、ファン（35,36）が低回転数と高回転数で繰り返して駆動するように、第２インバータ（25）および第３インバータ（26）の出力電力が制御されるようになっている。
【００５８】
上記エンジン制御部（42）は、各インバータ（24,25,26）の出力電力状態が入力される。そして、上記エンジン制御部（42）は、入力された出力電力に基づいて、発電用エンジン（21）の燃料消費率および発電機（22）の運転効率が最小値となるエンジン回転数を導出するように構成されている。
【００５９】
また、上記エンジン制御部（42）は、通常制御モード、低騒音制御モードの２つの運転制御モードを備えている。
【００６０】
上記通常制御モードでは、発電用エンジン（21）の許容最大回転数を上限として駆動されるモードである。上記低騒音制御モードは、発電用エンジン（21）が許容最大回転数よりも低い所定回転数を上限として駆動されるモードである。つまり、発電用エンジン（21）は、高回転数で駆動すると騒音値が高くなる。したがって、回転数の上限値を下げることにより、低回転数で駆動されるようになるので、騒音値が低下させることができる。
【００６１】
上記回転数制御部（43）は、エンジン制御部（42）で導出したエンジン回転数が入力される。そして、上記回転数制御部（43）は、入力された回転数で発電用エンジン（21）が駆動するように、電子ガバナ制御によって発電用エンジン（21）の燃料供給量を調節するように構成されている。
【００６２】
このように、本冷凍装置（10）では、発電機（22）と各冷凍機器との間に電力変換装置としてのコンバータ（23）およびインバータ（24,25,26）を接続するようにしたので、発電用エンジン（21）の回転数と、電動圧縮機（31）等の回転数とを個別に制御することができる。この結果、発電用エンジン（21）や電動圧縮機（31）をそれぞれ最適な効率で駆動することができる。
【００６３】
また、上記冷凍機器制御部（41）が電動圧縮機（31）を最大回転数で駆動する場合、エンジン制御部（42）は、発電用エンジン（21）の回転数が上記電動圧縮機（31）の最大回転数よりも低くなるように上記発電用エンジン（21）を制御するように構成されている。また、上記冷凍機器制御部（41）が電動圧縮機（31）を最小回転数で駆動する場合、エンジン制御部（42）は、発電用エンジン（21）の回転数が上記電動圧縮機（31）の最小回転数よりも高くなるように上記発電用エンジン（21）を制御するように構成されている。
【００６４】
上記圧縮機異常検知部（44）は、第１インバータ（24）の出力電力、つまり出力電流および出力電圧に基づいて電動圧縮機（31）の異常状態を検知するように構成されている。具体的に、上記圧縮機異常検知部（44）は、電流および電圧から電動圧縮機（31）の発生トルクＴを推定し、その発生トルクＴに基づいて、電動圧縮機（31）が故障したか、故障する前（故障寸前）かを判定する。
【００６５】
上記圧縮機異常検知部（44）において電動圧縮機（31）が故障と判定されると、冷凍機器制御部（41）が電動圧縮機（31）を停止するようになっている。なお、発電用エンジン（21）については場合によって停止させる。また、上記圧縮機異常検知部（44）において電動圧縮機（31）が故障する前と判定されると、電動圧縮機（31）は停止せずに回転数が所定値で固定されるように、冷凍機器制御部（41）が第１インバータ（24）を制御するようになっている（以下、圧縮機延命運転という）。なお、冷凍機器制御部（41）は、圧縮機延命運転を行うと共に、メンテナンス要求を操作表示盤等に表示させる。
【００６６】
また、上記圧縮機異常検知部（44）は、第１インバータ（24）の出力電流および出力電圧から電動圧縮機（31）のモータの巻き線抵抗Ｒを推定し、その巻き線抵抗Ｒに基づいて、電動圧縮機（31）が故障したか、故障する前（故障寸前）かを判定するようにしてもよい。なお、モータの巻き線抵抗Ｒはモータの温度に比例するため、電動圧縮機（31）の過熱状態が推定されることになる。
【００６７】
また、上記圧縮機異常検知部（44）は、第１インバータ（24）の出力電流および出力電圧から電動圧縮機（31）のモータ磁石の磁束Ψを推定し、その磁束Ψに基づいて、電動圧縮機（31）が故障したか、故障する前（故障寸前）かを判定するようにしてもよい。
【００６８】
上記エンジン異常検知部（45）は、発電用エンジン（21）の燃料供給量に基づいて該発電用エンジン（21）の異常状態を検知するように構成されている。つまり、上記エンジン異常検知部（45）は、実際の燃料供給量と正常運転時のものとの関係から、発電用エンジン（21）が故障したか、故障する前（故障寸前）かを判定する。
【００６９】
上記エンジン異常検知部（45）において発電用エンジン（21）が故障と判定されると、冷凍機器制御部（41）が電動圧縮機（31）およびファン（35,36）を、エンジン制御部（42）が発電用エンジン（21）をそれぞれ停止するようになっている。また、上記エンジン異常検知部（45）において発電用エンジン（21）が故障する前と判定されると、発電用エンジン（21）は停止せずに該発電用エンジン（21）の負荷が低減されるように、冷凍機器制御部（41）が電動圧縮機（31）およびファン（35,36）の少なくとも一方の回転数を制御するようになっている（以下、エンジン延命運転という）。なお、冷凍機器制御部（41）は、エンジン延命運転を行うと共に、メンテナンス要求を操作表示盤等に表示させる。
【００７０】
上記ファン異常検知部（46）は、凝縮器ファン（35）であれば第２インバータ（25）の出力電力、蒸発器ファン（36）であれば第３インバータ（26）の出力電力、つまり出力電流および出力電圧に基づいてファン（35,36）の異常状態を検知するように構成されている。具体的に、上記ファン異常検知部（46）は、電流および電圧からファン（35,36）の発生トルクＴを推定し、その発生トルクＴに基づいて、ファン（35,36）が故障したか、故障する前（故障寸前）かを判定する。
【００７１】
上記ファン異常検知部（46）においてファン（35,36）が故障と判定されると、冷凍機器制御部（41）がファン（35,36）を停止するようになっている。なお、発電用エンジン（21）については場合によって停止させる。また、上記ファン異常検知部（46）においてファン（35,36）が故障する前と判定されると、ファン（35,36）は停止せずに回転数が所定値で固定されるように、冷凍機器制御部（41）が各インバータ（25,26）を制御するようになっている（以下、ファン延命運転という）。なお、冷凍機器制御部（41）は、ファン延命運転を行うと共に、メンテナンス要求を操作表示盤等に表示させる。
【００７２】
−運転動作−
次に、本実施形態の冷凍装置（10）の運転動作について説明する。
【００７３】
先ず、発電用エンジン（21）が駆動されると、その動力によって発電機（22）が発電する。発電した交流電力は、コンバータ（23）で直流電力に変換されて各インバータ（24,25,26）へ出力される。各インバータ（24,25,26）では、直流電力が再び交流電力に変換されて電動圧縮機（31）およびファン（35,36）へ出力される。これにより、電動圧縮機（31）および各ファン（35,36）が駆動し、冷媒回路（30）にて蒸気圧縮式冷凍サイクルが行われる。
【００７４】
上記の運転状態において、冷凍機器制御部（41）によって各インバータ（24,25,26）が個別に制御されて、電動圧縮機（31）および各ファン（35,36）が制御される。一方、上記エンジン制御部（42）によって、電動圧縮機（31）および各ファン（35,36）の回転数とは無関係に発電用エンジン（21）の回転数が制御される。
【００７５】
具体的に、電動圧縮機（31）および各ファン（35,36）が冷凍機器制御部（41）によって導出された必要冷凍能力に見合う回転数でそれぞれ駆動するように各インバータ（24,25,26）が制御される。また、各ファン（35,36）は、負荷率が同じ場合、回転数をできるだけ下げるように制御される。図７に示すように、負荷率が同じ場合、ファン（35,36）は回転数を下げて風量を減少させても、蒸発器（34）における熱交換量、すなわち庫内へ供給される冷凍能力は変化しないことが分かる。つまり、回転数を下げることで、必要電流が低下するので省エネに繋がる。その際、吹出温度は低下することになるが、庫内温度には殆ど影響しない。
【００７６】
上記エンジン制御部（42）では、各インバータ（24,25,26）の出力電力状態からその負荷率を算出し、その負荷状態で燃料消費率が最低となるエンジン回転数を、図４に基づいて導出する。
【００７７】
例えば、定格出力状態（1700rpm,10kW）で冷凍制御が行われている状態において、庫内温度の目標温度が大きく下げられた場合、次のような動作となる。庫内温度が目標温度に対して大きく離れているため、冷凍機器制御部（41）は最大の冷却能力を発生すべく各インバータに指令が出す。その結果、消費電力は大きくなり、コンバータはそれに見合う電力を供給すべく発電機（22）から電力を取り出す。その結果、発電用エンジン（21）は負荷トルクが大きくなり、そのままの燃料噴射量ではエンジン回転数が低下していくため、エンジン回転数制御部（43）は指令されているエンジン回転数を保持すべく、燃料噴射量を増加させる。
【００７８】
例えば、その負荷が14kＷで負荷率140%に相当する場合、図４によれば、1700rpmと140%の負荷ラインが交差するポイントの燃料消費率(約1.08)が読み取れる。ここで、負荷率140%のラインに着目すると、その燃料消費率が一番底となっているのは、約2100rpm以上で約1.05あることが分かるので、回転数制御部（43）へのエンジン回転数指令として2100rpmを指令する。結果、0.03の燃費向上を見込むことができる。140%負荷率では2100rpm以上はほぼ同じ燃料消費率であるが、高速回転にするとエンジン音が大きくなるなどが懸念されるため、同じ燃料消費率であるならエンジン回転数は低いほうを選択するほうが良い。
【００７９】
また、庫内の冷却が十分に行われ、外部からの壁面などを経由しての熱量負荷のみとなった場合、電動圧縮機（31）およびファン（35,36）が必要とする電力は低下する。この場合、上記と同様に負荷率が軽い場合の燃料賞比率はエンジン回転数が低いほうが良いことが見て取れ、エンジン回転数を低いほうに設定することで燃料消費率の低減を図ることができる。但し、エンジン回転数には下限制限があるため、その範囲での運転となる。これにより、発電用エンジン（21）を最も省エネな状態で駆動することができる。
【００８０】
さらに、上記エンジン制御部（42）では、各インバータ（24,25,26）の出力電力状態からその負荷率を算出し、その負荷状態で発電機（22）の効率が最高となる回転数を、図５に基づいて導出する。図５は、発電機（22）の回転数と負荷率に対する発電機効率を示したものである。これによると、発電機（22）の効率は回転数が高いほど良いことが分かる。
【００８１】
エンジンのみで見ればエンジン負荷率が軽い場合はエンジン回転数を出来る限り低下させることが効率的に良いが、上記のように発電機の効率特性は回転数が低下するほど悪化する傾向にある。発電機とエンジンは直結またはベルト、ギアなどでの接続となるため、回転数は比例関係となる。これより、ある負荷率においてエンジン〜発電機出力までの効率が最適となるポイントは値が小さいほど良い燃料消費率と、値が大きいほど良い発電機効率の両方を考慮した場合、
総合効率係数  ＝  発電機効率  ÷  燃料消費率
が極大になる回転数を求めれば良いことになるのは自明である。この総合効率係数が極大となる回転数を回転数制御部(43)に指令することが発電システムとして最も燃費の良い運転をおこなうことになる。
【００８２】
また、上記エンジン制御部（42）では、次のような制御も可能である。負荷率が決定した後に、その負荷率において最も省エネとなるエンジン回転数を導出し、その回転数を指令したが、その場合、負荷が増加する方向に変化した場合の発電用エンジン（21）の動作としては、回転数指令が固定された状態において負荷が上昇、回転数指令が固定されているため、その回転数を保持したまま出力を上げるべく燃料消費率が上昇する。その後、先の最も省エネとなる回転数へと移行していくため、図６におけるＡのような経路をたどる。
【００８３】
しかしながら、冷凍機器制御部（41）からの冷凍能力を上げる（結果としてエンジンの負荷率が上昇する）ように動作を進めていることは情報として得ることができ、またその負荷率がどのような傾きであるかも得ることができる。この情報を利用し、発電用エンジン（21）の負荷が変わる前にフィードフォワード的にエンジン回転数指令を上昇させる制御を行うことで、図６におけるＢの経路を通り、最終のポイントに行き着くことが可能となる。結果、燃料消費率の悪い経路をたどらなくて良い分、燃費の向上を図ることが可能となる。
【００８４】
次に、上記圧縮機異常検知部（44）が発生トルクＴに基づいて異常状態を判定する流れについて、図８を参照しながら説明する。
【００８５】
上記冷凍装置（10）の運転が開始されると（ステップＳ１１）、ステップＳ１２へ移行して、第１インバータ（24）の出力電流および出力電圧が圧縮機異常検知部（44）へ入力される。ステップＳ１３では、圧縮機異常検知部（44）により、出力電流および出力電圧に基づいて電動圧縮機（31）の発生トルクＴが以下の式（１）により算出され、ステップＳ１４へ移行する。
発生トルクＴ＝Ｐ×｛Ψ０＋（Ｌｄ−Ｌｑ）×ｉｄ｝×ｉｑ    ・・・式（１）
ここに、Ｐ、Ψ０、ＬｄおよびＬｑはモータ定数を示し、設計値または生産時の計測値である。ｉｄおよびｉｑは、出力電流をｄｑ変換したもので、それぞれｄ軸電流およびｑ軸電流を示す。
【００８６】
ステップＳ１４において、発生トルクＴが所定値２より大きいか否かが判断され、大きい場合は、電動圧縮機（31）が故障したと判定されてステップＳ１５へ移行し、発電用エンジン（21）および電動圧縮機（31）が停止される。発生トルクＴが所定値２以下である場合、電動圧縮機（31）が故障していないと判定されてステップＳ１６へ移行する。ステップＳ１６において、発生トルクＴが所定値１より大きいか否かが判断され、大きい場合は、電動圧縮機（31）が故障する前と判定されてステップＳ１７へ移行し、圧縮機延命運転が行われると共に、メンテナンス要求が操作表示盤等に表示される。発生トルクＴが所定値１以下である場合は、電動圧縮機（31）が全く正常であると判定されてステップＳ１１へ戻る。なお、上記所定値１は、通常運転時の正常値より大きく、所定値２より小さい値に設定されている。また、これら所定値は、予め庫内外の温度との関係から定められるたものである。
【００８７】
上記圧縮機異常検知部（44）が巻き線抵抗Ｒに基づいて異常状態を判定する流れについて、図９を参照しながら説明する。
【００８８】
上記冷凍装置（10）の運転が開始されると（ステップＳ２１）、ステップＳ２２へ移行して、第１インバータ（24）の出力電流および出力電圧が圧縮機異常検知部（44）へ入力される。ステップＳ２３では、圧縮機異常検知部（44）により、出力電流および出力電圧に基づいて電動圧縮機（31）のモータの巻き線抵抗Ｒ（Ｒ＝出力電圧／出力電流）が求められ、ステップＳ２４へ移行する。ステップＳ２４において、巻き線抵抗Ｒと以下の式（２）とにより巻き線温度ｔが算出され、ステップＳ２５に移行する。
巻き線温度ｔ＝｛（Ｒ−Ｒ０）／（α×Ｒ０）｝＋ｔ０      ・・・式（２）
ここに、Ｒ０は巻き線温度ｔ０の時の巻き線抵抗を示し、αは定数である。
【００８９】
ステップＳ２５において、巻き線温度ｔが所定値２より大きいか否かが判断され、大きい場合は、電動圧縮機（31）が故障したと判定されてステップＳ２６へ移行し、発電用エンジン（21）および電動圧縮機（31）が停止される。巻き線温度ｔが所定値２以下である場合、電動圧縮機（31）が故障していないと判定されてステップＳ２７へ移行する。ステップＳ２７において、巻き線温度ｔが所定値１より大きいか否かが判断され、大きい場合は、電動圧縮機（31）が故障する前と判定されてステップＳ２８へ移行し、圧縮機延命運転が行われると共に、メンテナンス要求が操作表示盤等に表示される。巻き線温度ｔが所定値１以下である場合は、電動圧縮機（31）が全く正常であると判定されてステップＳ２１へ戻る。なお、上記所定値１は、通常運転時の正常値より大きく、所定値２より小さい値に設定されている。また、これら所定値は、予め電動圧縮機（31）の吐出管温度との
関係から定められたものである。
【００９０】
上記圧縮機異常検知部（44）が磁束Ψに基づいて異常状態を判定する流れについて、図１０を参照しながら説明する。
【００９１】
上記冷凍装置（10）の運転が開始されると（ステップＳ３１）、ステップＳ３２へ移行する。そして、ステップＳ３２からステップＳ３４における制御内容は、上述した図９のステップＳ２２からステップＳ２４と同様である。つまり、第１インバータ（24）の出力電流および出力電圧に基づいて電動圧縮機（31）のモータの巻き線抵抗Ｒが算出され、その巻き線抵抗Ｒに基づいて巻き線温度ｔが算出される。このように、巻き線温度ｔが算出されるとステップＳ３５が移行して、巻き線温度ｔと以下の式（３）とにより電動圧縮機（31）のモータ磁石の磁束Ψが算出され、ステップＳ３５へ移行する。
磁束Ψ＝Ψ０＋Ａ×ｔ                        ・・・式（３）
ここに、Ψ０は設計時の磁束値を示し、Ａは磁石特性から求められる温度係数を示し、ｔは巻き線温度を示す。
【００９２】
ステップＳ３５において、磁束Ψが所定値２より小さいか否かが判断され、小さい場合は、電動圧縮機（31）が故障したと判定されてステップＳ３６へ移行し、発電用エンジン（21）および電動圧縮機（31）が停止される。磁束Ψが所定値２以上である場合、電動圧縮機（31）が故障していないと判定されてステップＳ３７へ移行する。ステップＳ３７において、磁束Ψが所定値１より小さいか否かが判断され、小さい場合は、電動圧縮機（31）が故障する前と判定されてステップＳ３８へ移行し、圧縮機延命運転が行われると共に、メンテナンス要求が操作表示盤等に表示される。磁束Ψが所定値１以上である場合は、電動圧縮機（31）が全く正常であると判定されてステップＳ３１へ戻る。なお、上記所定値１は、通常運転時の正常値より小さく、所定値２より大きい値に設定されている。また、これら所定値は、予め電動圧縮機（31）の吐出管温度との関係から定められたものである。
【００９３】
次に、上記エンジン異常検知部（45）が燃料消費量（燃料供給量）に基づいて異常状態を判定する流れについて、図１１を参照しながら説明する。
【００９４】
上記冷凍装置（10）の運転が開始されると（ステップＳ４１）、ステップＳ４２へ移行して、発電機（22）の出力電圧がエンジン異常検知部（45）に入力される。なお、ここではコンバータ（23）の入力電流および入力電圧を入力してもよい。ステップＳ４３において、回転数制御部（43）の電子ガバナより燃料消費量がエンジン異常検知部（45）へ入力される。
【００９５】
ステップＳ４４では、エンジン異常検知部（45）により、燃料消費量が所定値２より大きいか否かが判断され、大きい場合は、発電用エンジン（21）が故障したと判定されてステップＳ４４へ移行し、発電用エンジン（21）および電動圧縮機（31）が停止される。燃料消費量が所定値２以下である場合、発電用エンジン（21）が故障していないと判定されてステップＳ４５へ移行する。ステップＳ４５において、燃料消費量が所定値１より大きいか否かが判断され、大きい場合は、発電用エンジン（21）が故障する前と判定されてステップＳ４６へ移行し、エンジン延命運転が行われると共に、メンテナンス要求が操作表示盤等に表示される。燃料消費量が所定値１以下である場合は、発電用エンジン（21）が全く正常であると判定されてステップＳ４１へ戻る。なお、上記所定値１は、通常運転時の正常値より大きく、所定値２より小さい値に設定されている。また、これら所定値は、ステップＳ４２で入力された発電機（22）の出力電圧との関係から予め定められたものである。
【００９６】
また、上記ファン異常検知部（46）において、圧縮機異常検知部（44）と同様の異常検知方法でファン（35,36）の異常判定が行われる。例えば、ファン（35,36）のモータの発生トルクＴが所定値２より大きいか否かが判断され、大きい場合は、ファン（35,36）が故障したと判定されて、発電用エンジン（21）およびファン（35,36）が停止される。発生トルクＴが所定値２以下である場合、ファン（35,36）が故障していないと判定され、続いて、発生トルクＴが所定値１より大きいか否かが判断される。そして、所定値１より大きい場合は、ファン（35,36）が故障する前と判定されて、ファン延命運転が行われると共に、メンテナンス要求が操作表示盤等に表示される。発生トルクＴが所定値１以下である場合は、ファン（35,36）が全く正常であると判定されて制御が終了する。
【００９７】
次に、上述した通常制御モード以外の制御モードについて説明する。
【００９８】
低騒音制御モードが選択されると、エンジン制御部（42）は、上述した発電用エンジン（21）の燃費が悪くなるポイントであっても、許容最大回転数よりも低い所定の回転数以下で発電用エンジン（21）を駆動する。これにより、省エネ運転よりも低騒音の運転を優先して駆動させることができる。
【００９９】
高精度制御モードが選択されると、冷凍機器制御部（41）は、庫内温度が目標温度に達した場合、電動圧縮機（31）の回転数を固定し、ファン（35,36）の回転数のみを熱負荷の変動に応じて制御する。これにより、電動圧縮機（31）のみで温度制御を行う場合に比べて、高応答且つ高精度の温度制御を行うことができる。すなわち、庫内温度が目標温度に達した後は、冷凍庫（C）の外壁等からの熱伝導による熱負荷に対応するだけでよいことになる。ここで、電動圧縮機（31）の回転数を制御しても、各部の熱時定数の分だけ能力変化の応答性が低いため、急激に回転数を変化させようとすると、いわゆるハッチング現象が生じてしまう。これに対し、ファン（35,36）制御の場合、特別な熱時定数が存在しないため、調節した回転数の分だけ割と早く能力変化として表れる。
【０１００】
ファン間欠制御モードが選択されると、冷凍機器制御部（41）は、ファン（35,36）に対して所定の低回転数と高回転数とで交互に駆動されるように制御する。具体的に、ファン（35,36）の風量を最低風量と、トレーラーの奥まで送り届け得る大風量とを繰り返す。これにより、冷凍庫（C）内に乱流を発生させることができ、庫内の温度分布を均一にすることができる。
【０１０１】
−実施形態の効果−
以上説明したように、この実施形態によれば、発電用エンジン（21）と電動圧縮機（31）とファン（35,36）とを別個独立に制御できるようにしたので、発電用エンジン（21）を電動圧縮機（31）やファン（35,36）の回転数に連動させて駆動させなくてもよい。したがって、例えば低回転高トルクで発電用エンジン（21）を駆動しなくてもよいため、発電用エンジン（21）の排気量を無駄に大きくする必要がなくなる。この結果、発電用エンジン（21）の小型化および軽量化を図ることができる。
【０１０２】
また、電動圧縮機（31）等とは関係なく発電用エンジン（21）にとって最適効率となる回転数で該発電用エンジン（21）を駆動することができる。この結果、装置の省エネ化を図ることができる。
【０１０３】
また、コンバータ（23）を発電機（22）から切り換えて商用電源と繋げるようにしたので、例えば冷凍車が長時間走行停止するような場合、発電用エンジン（21）を駆動させる必要がなくなる。この結果、発電用エンジン（21）の省エネ化を図ることができる。
【０１０４】
また、電動圧縮機（31）や発電用エンジン（21）の故障寸前の異常状態を検知することができる。そして、検知されると、電動圧縮機（31）等の負担を軽減するようにしたので、交換の時期までできるだけ長く運転を持続させることができる。
【０１０５】
《その他の実施形態》
例えば、上記電動圧縮機（31）としてスクロール式の圧縮機を用いたが、ロータリー式のもの、また往復動式（いわゆる、レシプロ式）のものを用いるようにしてもよい。
【０１０６】
なお、以上の実施形態および変形例は、本質的に好ましい例示であって、本発明、その適用物、あるいはその用途の範囲を制限することを意図するものではない。
【産業上の利用可能性】
【０１０７】
以上説明したように、本発明は、トレーラー（荷台車両）に設けられる冷凍装置として有用である。
【図面の簡単な説明】
【０１０８】
【図１】実施形態に係る冷凍装置が設けられる冷凍車の左側面図である。
【図２】実施形態に係る冷凍装置の全体を示す概略系統図である。
【図３】冷凍装置の冷媒回路を示す配管系統図である。
【図４】発電用エンジンの負荷別燃料消費特性を示すグラフである。
【図５】発電機の効率特性を示すグラフである。
【図６】発電用エンジンの燃費率曲線を示すグラフである。
【図７】蒸発器ファンの風量とその吹出温度との関係を示す表である。
【図８】圧縮機の異常を運転トルクに基づいて検知するフローチャート図である。
【図９】圧縮機の異常を巻き線抵抗に基づいて検知するフローチャート図である。
【図１０】圧縮機の異常を磁束に基づいて検知するフローチャート図である。
【図１１】発電用エンジンの異常を燃料供給量に基づいて検知するフローチャート図である。
【符号の説明】
【０１０９】
10        冷凍装置
21        発電用エンジン
22        発電機
23        コンバータ
24〜26    第１〜第３インバータ
27        切換スイッチ
30        冷媒回路
31        電動圧縮機
35,36     凝縮器ファン、蒸発器ファン
40        制御装置（制御手段）
41        冷凍機器制御部
42        エンジン制御部
44        圧縮機異常検知部
45        エンジン異常検知部
46        ファン異常検知部
【図１】
2007113874.tif 000003
【図２】
2007113874.tif 000004
【図３】
2007113874.tif 000005
【図４】
2007113874.tif 000006
【図５】
2007113874.tif 000007
【図６】
2007113874.tif 000008
【図７】
2007113874.tif 000009
【図８】
2007113874.tif 000010
【図９】
2007113874.tif 000011
【図１０】
2007113874.tif 000012
【図１１】
2007113874.tif 000013